(57)【特許請求の範囲】
【請求項１】
給紙ローラを回転させて複数枚セットされた用紙から１枚ずつ給紙する給紙装置と、
該給紙装置から給紙された用紙を副走査方向にその送り量をコントロール下で紙送りする紙送りローラを備えた紙送り機能部と、
記録ヘッドを搭載したキャリッジを主走査方向に往復動させて前記記録ヘッドに対向する用紙に記録データに基づく記録を実行する記録実行部と、
前記給紙装置の給紙ローラと前記紙送り機能部の紙送りローラとの間に配置され用紙の先端通過及び終端通過を検出可能な紙検出器とを備え、
前記紙送り機能部による副走査方向への所定量の紙送り動作と、前記記録実行部による停止状態の用紙に対する記録実行動作とを交互に行って全記録を実行する記録装置であって、
前記給紙装置は、給紙ローラと連動して回転する第１の回転部材とモータの駆動力により回転する第２の回転部材の係合をトリガレバーの動作により断続するクラッチ機構を備え、
前記第１の回転部材を前記給紙ローラと一体に回転する部材とし、前記第２の回転部材を前記紙送りローラと一体に回転する部材とした上で、
前記トリガレバーがキャリッジの移動によって動くことにより前記第１及び第２の回転部材の係合を断続する構成であり、
前記記録実行部は、そのキャリッジの各動作の基礎となる位置として、記録の１桁側に位置するホームポジションと、記録の多桁側に位置する待機ポジションと、該待機ポジションより外側に位置するトリガーポジションとを有し、
記録実行動作は、キャリッジが前記ホームポジションと待機ポジションの間の両折り返し点間で往復動して実行され、
前記クラッチ機構の断続動作は、キャリッジが前記ホームポジション側から前記トリガーポジションにまで移動して前記トリガレバーを押すことにより該クラッチを動力非伝達状態から動力伝達状態に移行させることにより実行され、
１枚の用紙への記録終了前において、前記ホームポジションと待機ポジションの間での記録実行のためのキャリッジの往復動作の内、前記待機ポジションに向かう移動の１動作を該待機ポジションを越えて前記トリガーポジションまで移動しつつ記録を実行する動作に設定することで実行されるように構成されていることを特徴とする記録装置。
【請求項２】
請求項１に記載の記録装置において、前記クラッチ機構の断続動作は、サイズ既知の用紙先端が紙検出器を通過し、その用紙先端検出と用紙サイズに基づいて用紙の終端位置を演算により求めて把握し、その求めた用紙終端位置が紙送り動作を経て演算上において次位の用紙から離れ、且つ該用紙終端が前記紙検出器の検出位置に至る前に、キャリッジが前記ホームポジション側から前記トリガーポジションにまで移動して前記トリガレバーを押すように設定可能に構成されていることを特徴とする記録装置。
【請求項３】
請求項１または２に記載の記録装置において、前記クラッチ機構の前記第１の回転部材と前記第２の回転部材とはラチェット機構により係合し、
前記第１の回転部材と噛合うことが可能な遊星歯車を有する遊星機構と、
前記トリガレバーにおいて、前記遊星機構の動作を規制可能な遊星規制部と、を備え、
前記キャリッジが前記トリガーポジションにまで移動したとき、前記遊星規制部による前記遊星機構の動作規制状態が解除され、前記モータの動力が前記遊星機構を介して前記第１の回転部材へ伝達される構成である記録装置。
【請求項４】
請求項３に記載の記録装置において、前記給紙ローラを逆転駆動させることでカム機構を介して用紙が載置されるホッパを、前記給紙ローラに対して退避させる構成である記録装置。
【発明の詳細な説明】
【０００１】
【発明の属する技術分野】
本発明はクラッチ機構、該クラッチ機構を備えた給紙装置及び記録装置に関する。
【０００２】
【従来の技術】
従来から、インクジェット式記録装置の給紙装置においては、側面視略Ｄ型の給紙ローラから紙送りローラへ向けて記録用紙を給紙し、その記録用紙の先端が紙送りローラに引き渡された後に、給紙ローラの駆動を停止すると共に紙送りローラの駆動を継続して、記録ヘッドの存する搬送路に用紙を送り出す機構が採用されている。そして、小型の給紙装置においては、装置の小型化と低価格化を図るために、単一の駆動モータによりこの２つのローラの所要の動作を行えるように工夫されている。
【０００３】
具体的には、単一の駆動モータからの駆動力を給紙ローラ及び紙送りローラへ伝える歯車列ないしはベルト機構等の動力伝達機構を設け、該動力伝達機構中に、給紙ローラ係歯車への駆動力の伝達を断続するクラッチ機構を設けている。このクラッチ機構は、給紙ローラを駆動する歯車にラチェット機構を設け、該歯車が1回転をすると別途設けたトリガレバーが該ラチェット機構を構成する一部材に係合して該部材と前記歯車とのラチェット機構による係合を解除することにより、給紙ローラがそれ以上回転しないようにしている。
【０００４】
【発明が解決しようとする課題】
しかしながら、従来のクラッチ機構は、前記トリガレバーに前記ラチェット機構の前記部材と前記歯車との係合を解除させる動作を行わせるために、前記駆動モータを逆回転させ、該係合を解除する動作を行わせるようなっていた。そのため、給紙装置の給紙シーケンスが複雑となり、また、給紙に要する時間も長くなり、スループットが低下してしまうという問題があった。
【０００５】
本発明の課題は、モータを逆回転させることなく前記係合を解除でき、したがって給紙シーケンスが簡単となり、スループットも向上できるクラッチ機構、該クラッチ機構を備えた給紙装置及び該給紙装置を備えた記録装置を提供することにある。
【０００６】
【課題を解決するための手段】
上記課題を達成するため、本願第１の態様のクラッチ機構は、給紙ローラと連動して回転する第１の回転部材とモータの駆動力により回転する第２の回転部材の係合をトリガレバーの動作により断続するクラッチ機構であって、前記トリガレバーがキャリッジの移動によって動くことにより前記第１及び第２の回転部材の係合を断続することを特徴とするものである。
【０００７】
本発明によれば、トリガレバーがキャリッジの移動により回動又はスライド等の動作をすることにより前記第１及び第２の回転部材の係合を断続するので、モータを逆回転することなく第１及び第２の回転部材の係合を断続できる。したがって、シーケンスが複雑化することがなく、スループットも向上できる。
【０００８】
また、本願第２の態様の発明は、第１の態様において、前記第１の回転部材と前記第２の回転部材とはラチェット機構により係合することを特徴とするものである。本発明によれば、簡単な構成で前記第１の回転部材と前記第２の回転部材との係合を断続できる。
【０００９】
また、本願第３の態様の発明は、第１または第２の態様において、前記トリガレバーは一端に係止鉤が形成されており、前記トリガレバーの動きにより前記係止鉤が前記第１の回転部材又は第２の回転部材に係合又は係合からの離脱を行うことにより前記第１及び第２の回転部材の係合を断続することを特徴とするものである。本発明によれば、簡単な構成で前記第１の回転部材と前記第２の回転部材との係合を断続できる。
【００１０】
また、本願第４の態様の発明は、第１から第３のいずれか一の態様において、前記クラッチ機構は１回転クラッチであることを特徴とするものである。本発明によれば、給紙ローラが１回転する毎にクラッチ機構の断続を行うことができ、機構の簡素化ができる。
【００１１】
また、本願第５の態様の発明は、第１から第４のいずれか一の態様において、前記トリガレバーは１枚の用紙の終端が前記給紙ローラから所定の距離だけ離れたときに前記第１回転部材及び第２の回転部材を係合することを特徴とするものである。本発明によれば、１枚目の用紙の終端と２枚目の用紙の先端との距離を位置検出上必要な最小限の距離に設定することができ、スループットを向上させることができる。
【００１２】
本願第６の態様の給紙装置は、第１から第５のいずれか一の態様のクラッチ機構を備えて成るものである。本発明によれば、クラッチ機構を動作させるためにモータを反転させる必要がないので、シーケンスが複雑化することがなく、スループットも向上できる給紙装置が得られる。
【００１３】
本願第７の態様の記録装置は、給紙ローラを回転させて複数枚セットされた用紙から１枚ずつ給紙する給紙装置と、該給紙装置から給紙された用紙を副走査方向にその送り量をコントロール下で紙送りする紙送りローラを備えた紙送り機能部と、記録ヘッドを搭載したキャリッジを主走査方向に往復動させて前記記録ヘッドに対向する用紙に記録データに基づく記録を実行する記録実行部と、前記給紙装置の給紙ローラと前記紙送り機能部の紙送りローラとの間に配置され用紙の先端通過及び終端通過を検出可能な紙検出器とを備え、前記紙送り機能部による副走査方向への所定量の紙送り動作と、前記記録実行部による停止状態の用紙に対する記録実行動作とを交互に行って全記録を実行する記録装置であって、前記給紙装置は、前記第１の回転部材を前記給紙ローラと一体に回転する部材とし、前記第２の回転部材を前記紙送りローラと一体に回転する部材とした上で、第１から第５のいずれか一の態様のクラッチ機構を備えて成ることを特徴とする。
【００１４】
本発明によれば、紙送りローラを回転させるためのモータの動力を給紙ローラの動力源としても利用し、その動力伝達の断続をクラッチ機構によって行う構成の記録装置において、給紙装置のクラッチ機構を動作させるために前記モータを紙送り方向を正転として逆転させる必要がないので、シーケンスが複雑化することがなく、スループットも向上できる記録装置が得られる。
【００１５】
また、本願第８の態様の発明は、第７の態様において、前記記録実行部は、そのキャリッジの各動作の基礎となる位置として、記録の１桁側に位置するホームポジションと、記録の多桁側に位置する待機ポジションと、該待機ポジションより外側に位置するトリガーポジションとを有し、記録実行動作は、キャリッジが前記ホームポジションと待機ポジションの間の両折り返し点間で往復動して実行され、前記クラッチ機構の断続動作は、キャリッジが前記ホームポジション側から前記トリガーポジションにまで移動して前記トリガレバーを押すことにより該クラッチを動力非伝達状態から動力伝達状態に移行させることにより実行されるように構成されていることを特徴とする。
【００１６】
本発明によれば、キャリッジの各動作の基礎となる位置として、ホームポジション、待機ポジション及びトリガーポジションを有し、キャリッジをその往復動作において、これらの位置に至らせることによって、簡単にその意図する動作を実行させることができる。そして、給紙装置における前記クラッチ機構の断続動作も前記待機ポジションの外側に設けたトリガーポジションにキャリッジを至らせることによって容易に実現することができる。
【００１７】
また、本願第９の態様の発明は、第８の態様において、前記クラッチ機構の断続動作は、１枚の用紙への記録終了前において、前記ホームポジションと待機ポジションの間での記録実行のためのキャリッジの往復動作の内、前記待機ポジションに向かう移動の１動作を該待機ポジションを越えて前記トリガーポジションまで移動しつつ記録を実行する動作に設定することで実行されるように構成されていることを特徴とする。
【００１８】
本発明によれば、１枚の用紙への記録終了前において、記録実行のためのキャリッジの往復動作の内、前記待機ポジションに向かう移動の１動作を該待機ポジションを越えて前記トリガーポジションまで移動しつつ記録を実行する動作に設定できるので、すなわち一連の記録動作の中でクラッチを動力伝達状態（接続状態）に移行させることができるので、記録終了を待たずに次位の用紙の給紙を開始させることができる。従って、次位の用紙の給紙開始を先に用紙の記録終了前の速いタイミングで行うことができ、記録装置としてスループットを向上することができる。
【００１９】
また、本願第１０の態様の発明は、第９の態様において、前記クラッチ機構の断続動作は、サイズ既知の用紙先端が紙検出器を通過し、その用紙先端検出と用紙サイズに基づいて用紙の終端位置を演算により求めて把握し、その求めた用紙終端位置が紙送り動作を経て演算上において次位の用紙から離れ、且つ該用紙終端が前記紙検出器の検出位置に至る前に、キャリッジが前記ホームポジション側から前記トリガーポジションにまで移動して前記トリガレバーを押すように設定可能に構成されていることを特徴とする。
【００２０】
本発明によれば、従来は１枚目の用紙の終端が紙検出器の検出位置を通過してから、次位の用紙の給紙が開始できる構成であったのに比して、１枚目の用紙終端が紙検出器の検出位置に至る前に次位の用紙の給紙を開始するので、記録装置としてのスループットを大幅に向上することができる。
【００２１】
【発明の実施の形態】
以下、本発明の実施の形態を図面に基づいて説明する。
図１は本発明の実施の一形態のクラッチ機構を示す分解斜視図であり、該クラッチ機構は、インクジェットプリンタの給紙装置に搭載されている。
【００２２】
このインクジェットプリンタは、給紙ローラ７を回転させて複数枚セットされた用紙から１枚ずつ給紙する給紙装置と、該給紙装置から給紙された用紙を副走査方向にその送り量をコントロール下で紙送りする紙送りローラを備えた紙送り機能部と、記録ヘッドを搭載したキャリッジを主走査方向に往復動させて前記記録ヘッドに対向する用紙に記録データに基づく記録を実行する記録実行部と、前記給紙装置の給紙ローラ７と前記紙送り機能部の紙送りローラとの間に配置され用紙の先端通過及び終端通過を検出可能な紙検出器とを備えている。そして、前記紙送り機能部による副走査方向への所定量の紙送り動作と、前記記録実行部による停止状態の用紙に対する記録実行動作とを交互に行って全記録を実行するように構成されている。以上の構成は従来公知の構成であるので詳しい説明は省略する。
【００２３】
本実施の形態においては、図８に概略的に示すように、前記記録実行部は、そのキャリッジの各動作の基礎となる位置として、記録の１桁側（図１の右端側）に位置するホームポジションと、記録の多桁側（図１の左端側）に位置する待機ポジションと、該待機ポジションより外側に位置するトリガーポジションとを有している。そして、記録実行動作は、キャリッジが前記ホームポジションと待機ポジションの間の両折り返し点間で往復動して実行されるようになっている。
【００２４】
図１において、歯車装置1は同軸上に固定された径の異なる歯車１ａと歯車１ｂとから成り、その中心軸が給紙装置のフレーム２に回動自在に軸支されている。歯車１ａには図示しないベルト機構を介して動力が伝達される歯車（図示せず）が噛合し、図示しない紙送り用のモータからの駆動力が伝達される。該モータの駆動力は図示しない紙送りローラに該ベルト機構を介して伝達されるように構成されている。
【００２５】
歯車１ｂは、太陽歯車となる歯車３と噛合しており、歯車３の中心軸３１はフレーム２に植立されている。歯車３は該中心軸３１に回動自在に軸支されている。該中心軸３１は遊星機構４の孔４１に嵌合し、遊星機構４は孔４１を中心として回動自在に中心軸３１に軸支されている。遊星機構４は前記孔４１を中心とする略Ｌ字形の板部４２と、該板部４２の一方の端部４２ａに植立された支持軸４３と、該支持軸４３に回動自在に軸支された遊星歯車４４とから構成される。
【００２６】
歯車３は、フレーム２に植立された図示しない支持軸上に回動自在に軸支された歯車５及び遊星歯車４４に噛合している。歯車５は、第２の回転部材としての歯車６と噛合している。歯車６は、紙送りローラと一体に連動して回転するものであると共に、側面視略Ｄ型の給紙ローラ７を固着した給紙軸８の細径化された先端部８１に回動自在に遊嵌されている。歯車６のフレーム２側の端面には歯車６より小径のラチェット歯６１が形成されている。
【００２７】
給紙軸８の先端部８１は、フレーム２に形成された図示しない孔に回動自在に嵌挿されている。先端部８１のフレーム２近傍の給紙ローラ７側には、第１の回転部材としての歯車９が給紙軸８と一体的に回動するように、先端部８１に固着されている。歯車９の歯車６側の端面には軸９１が植立され、歯車９と歯車６との間に間挿される、同じく第１の回転部材としての環状体１０の中空円盤部１０ｂの歯車９側の端面に凸設された円環部１０１に挿貫されている。一方、歯車９の歯車６側の端面にはもう１本の軸９２が植立されており、該軸９２にはスプリング１１の一端が懸架されている。スプリング１１の他端は、環状体１０の中空円盤部１０ｂの歯車９側の端面に植立された軸１０２に懸架されている。すなわち、環状体１０は軸９１を中心として回動し得ると同時に、スプリング１１により図１の右側から見て時計方向に付勢されている。
【００２８】
環状体１０の歯車６側の円筒部１０ａの内面には歯車６のラチェット歯６１と係合する突起１０３が凸設されている。また、環状体１０の中空円盤部１０ｂの歯車６側の面上には、係止片１０４が凸設されている。
【００２９】
フレーム２に凸設された軸２１には、トリガレバー１２が遊嵌されており、該トリガレバー１２の上部には円環部１２１が凸設され、該円環部１２１にはトーションスプリング１３が捲設されている。トリガレバー１２は、このトーションスプリング１３により、係止鉤１２２の設けられた端部が常時フレーム２側に付勢されている。トリガレバー１２の他端部１２３は、フレーム２の印字領域と給紙領域とを区切る図示しないメインフレーム（隔壁）に設けられた図示しない開口部から印字領域に突出し、図示しないキャリジが図１のフレーム２に隣接するトリガーポジション（図８参照）に移動したときに該キャリッジの押圧部により図１の左方向に押圧されるようになっている。
【００３０】
次に、このように構成された本実施の形態の動作を説明しつつその構造を説明する。図２は本実施の形態のクラッチ機構の動作開始以前の状態を、分かり易いように、ラチェット歯６１、円筒部１０ａ及び歯車９の部分の相互の位置関係を図１の右側から透視して見た模式図である。図３は、この状態を上方から見た平面図である。
【００３１】
図２及び図３に示すように、この状態では、トリガレバー１２はトーションスプリング１３の付勢力により歯車９と平行な状態にあり、トリガレバー１２の先端部の係止鉤１２２が環状体１０の円筒部１０ａの係止片１０４に係合している。そのため、円筒部１０ａはスプリング１１の付勢力に抗して図２の左上方に引き上げられ、突起１０３はラチェット歯６１から離脱した状態にある。この状態では、図示しないモータから歯車装置１に駆動力が伝達されても、歯車装置１の歯車１ｂ、歯車３及び歯車５を介して歯車装置１の回転力が伝達されて歯車６は回転するが、ラチェット歯６１と円筒部１０ａの突起１０３とが離脱しているため、環状体１０は回転せず、したがって、環状体１０に一体的に係合されている歯車９も回転せず、そのため歯車９と一体的に固着されている給紙軸８も回転しない。このとき、言うまでもないが紙送りローラは回転する。なお、この状態では、遊星機構４は、図１の右側面から見た要部側面図図４に示すように、遊星歯車４４が歯車９から遊離した状態にある。
【００３２】
この状態で、給紙装置の図示しないホッパー部分に用紙が積み重ねて置かれ、本実施の形態のクラッチ機構を備えた給紙装置を有する、インクジェットプリンタに印刷開始信号が供給されると、図示しないキャリッジが、図１の右側のホームポジションから、図１の左端のフレーム２の近傍のトリガーポジションまで移動する（図８参照）。このとき、トリガレバー１２の端部１２３がキャリッジの押圧部に押圧され、トリガレバー１２はトーションスプリング１３の付勢力に抗して円環部１２１を中心に回動し、係止鉤１２２が環状体１０の係止片１０４との係合位置から離脱して、図５の平面図に示すように、歯車６の上方に移動する。
【００３３】
この状態では、係止鉤１２２と係止片１０４との係合が解除されるため、図２と同様にラチェット歯６１、円筒部１０ａ及び歯車９の部分の相互の位置関係を図１の右側から透視して見た模式図図６に示すように、環状体１０はスプリング１１の付勢力により図６の右下方に引き寄せられ、突起１０３がラチェット歯６１に係合し、クラッチ機構が接続された状態になる。
【００３４】
従って、モータの駆動力は、歯車装置１の歯車１ｂ、歯車３、歯車５及び歯車６を介してラチェット歯６１に伝達され、ラチェット歯６１に円筒部１０ａの突起１０３が係合していることから、歯車６が図１の右側から見たときに時計方向に回転するようにモータが歯車６を駆動するときには、ラチェット歯６１と突起１０３とから成るラチェット機構により、環状体１０が時計方向に回転される。環状体１０の円環部１０１には歯車９の軸９１が嵌挿されているため、歯車９も環状体１０と一体的に回転し、したがって、歯車９に一体的に固定されている給紙軸８も同様に時計方向に回転する。
【００３５】
給紙軸８の回転に伴い、給紙軸８に一体的に固定されている給紙ローラ７も時計方向に回転し、同じく回転している紙送りローラ方向へ用紙の搬送が開始される。環状体１０の回転に伴い中空円盤部１０ｂ上の係止片１０４も回転し、トリガレバー１２の係止鉤１２２が円筒部１０ａ上に復帰しても該係止鉤１２２と係合しない位置に移動する。本実施の形態では、給紙軸８が約４５度回転した後、キャリッジは前記トリガーポジションより少し右側の待機ポジションに移動し、用紙の搬送と印字データの到来を待って印字動作を開始するようになっている。なお、キャリッジの移動は本プリンタの図示しない制御回路により制御される。
【００３６】
給紙ローラ７は、紙送り方向に回転して用紙の搬送を継続し、前記給紙ローラ７と前記紙送りローラとの間に配置され用紙の先端通過及び終端通過を検出可能な紙検出器（図示せず）により、用紙の先端位置が当該プリンタの用紙搬送制御系によって正確に把握され、紙送りローラ位置での用紙の所定の頭出しが行われる。
【００３７】
用紙が給紙ローラ７により紙送りローラに向かって搬送されるときに用紙が紙送りローラに対して斜めになった状態で搬送されてしまうことがある。このような場合に対応していわゆるスキュー取りを行えるようになっている。
【００３８】
すなわち、トリガレバー１２は、図３に示すように、円筒部１０ａの上部に復帰してはいるが、係止鉤１２２は係止片１０４との係合状態にはなく、したがって、図６に示すように、突起１０３はラチェット歯６１に係合し、クラッチ機構が接続された状態にある。しかし、突起１０３とラチェット歯６１とはラチェット機構を構成しているので、歯車６が時計方向（紙送り方向）に回転するときには歯車６の回転力は環状体１０に伝達されるが、逆方向（反時計方向）に回転するときには、歯車６の回転力は環状体１０には伝達されず、したがって給紙ローラ７は逆回転しない。
【００３９】
このように、用紙を戻す方向にモータを逆転させて紙送りローラを逆転させたとき、給紙ローラ７にはその動力が伝達されないため、給紙ローラ７は停止状態となる。すなわち、給紙ローラ７を停止した状態で紙送りローラだけ逆転するため、用紙先端部分にスキュー取りに必要な撓みを形成することができ、再び紙送りローラを正転するようにモータの回転方向を変えることにより、スキュー取りが実行される。
【００４０】
ここで、遊星機構４について説明する。印刷終了後に間もなく給紙装置のホッパーをレリース（下降退避）させる等の動作をさせる場合があり、本実施の形態では、給紙ローラを逆転動作させることでカム機構を介して前記ホッパーをレリースさせるように構成されている。従って、このホッパーレリースを実行する場合は、モータの逆転により、紙送りローラを逆転させると共に、給紙ローラも逆転させる必要がある。この場合、単に紙送りローラを逆転させるだけでは、前述の如く、クラッチ機構を介して動力が給紙ローラ側に伝達されない。また、通常の状態（キャリッジがトリガーポジション以外にいる）では、トリガレバー１２の遊星規制部１２４によって、板部４２の回転を規制している為、遊星歯車４４の動力が歯車９へ伝達されない構成となっている。従って、ホッパーをレリースさせることができない。
【００４１】
そこで、本実施の形態では、モータ逆転による紙送りローラの逆転に先立って、キャリッジを前記トリガーポジションにまで至らせ、これによりトリガレバー１２を回動させて遊星機構４の動作規制状態を解除し、該遊星機構４の板部４２を反時計方向に回動可能な状態とするように構成されている。次いでモータを逆転させることにより、遊星機構４の板部４２が反時計方向に回動し、遊星歯車４４が歯車９と歯合状態となり、これにより紙送りローラの逆転駆動力が給紙ローラ７側に伝達可能となり、該給紙ローラ７の逆転により前記ホッパーレリースを実行できるようになっている。
【００４２】
すなわち、給紙ローラ７を逆回転させるモータの駆動力は、歯車３を反時計方向に回転させるので、遊星機構４の遊星歯車４４が時計方向に回転しながら持ち上げられることにより、板部４２が孔４１を中心として反時計方向に回転し、図７に示すように、遊星歯車４４が歯車９と噛合する。これにより、歯車３の反時計方向の回転力が遊星歯車４４の時計方向の回転力として歯車９に伝達され、歯車９が反時計方向に回転する。したがって、給紙ローラ７は反時計方向に回転して、給紙装置のホッパーのレリース（下降退避）を行うことができる。
【００４３】
スキュー取り動作の後に、用紙は紙送りローラにより記録実行のための搬送が開始される。
その後、環状体１０が１回転すると、中空円盤部１０ｂ上の係止片１０４は再びトリガレバー１２の係止鉤１２２との係合位置に戻り、このとき既にトリガレバー１２は円筒部１０ａ上に復帰しているために、トリガレバー１２の係止鉤１２２と係止片１０４とが図２に示すように係合し、円筒部１０ａはスプリング１１の付勢力に抗して図２の左上方に引き上げられ、突起１０３とラチェット歯６１との係合が解除され、クラッチ機構は切断される。すなわち、１回転クラッチからなるクラッチ機構により、歯車６の時計方向の回転力は環状体１０には伝達されず、歯車９は回転を停止し、したがって給紙軸８及び給紙ローラ７も回転を停止する。
【００４４】
なお、このとき遊星機構４は歯車３の時計方向の回転により板部４２が孔４１を中心として時計方向に回転して、図４に示すように、遊星歯車４４が歯車９から離脱した状態にあり、歯車９に何の回転力も伝達しない。この状態では、用紙は紙送りローラにより搬送され、印字データに基づく通常の印字動作が行われる。
【００４５】
次に、数ページの連続した印刷に関しての給紙について説明する。
用紙の終端位置は、前記紙検出器による用紙先端位置の把握に基づいて、用紙搬送制御系に制御回路により予め入力された用紙サイズデータから計算により求められる。本実施の形態では、その計算上の用紙終端が給紙軸８の位置を通過した後、該用紙後端が給紙軸８から約１５ｍｍ離れた位置に到達したときに、すなわち、用紙終端が次位の用紙先端から所定の距離だけ離れる用紙搬送制御動作をしたときに、キャリッジが前記トリガーポジションにまで、ホームポジション側から記録動作を実行しつつ移動し、トリガレバー１２の端部１２３を図１の左方向に押圧する。そして、トリガレバー１２の係止鉤１２２が歯車６方向に回動して係止鉤１２２と係止片１０４との係合が解除され、上述した動作によりクラッチ機構が接続され、副走査方向の１行分の改行（紙送り動作）と共に、給紙ローラ７が時計方向に回転し始めて次の用紙の給紙動作を開始する。
【００４６】
このとき１枚目の用紙は、まだ紙送りローラにより搬送されている途中であり、モータを逆回転することなく、１枚目の用紙を印刷しながら引き続き２枚目の用紙を紙送りローラ方向に給紙開始することができるので、スループットを向上させることができる。
【００４７】
なお、１枚目の用紙が用紙の印刷範囲の最終位置まで印刷しないで、途中で印刷を終了し、残りを余白とする場合には、印刷終了後においては、用紙の搬送は１行ずつの印字動作ではなく、一連の排紙動作となるように構成されている。本実施の形態では、この場合にも、通常の印字動作時と同様に、計算上求められた１枚目の用紙の後端位置が給紙軸８から約１５ｍｍ離れた位置に到達したときに、キャリッジが前記トリガポジションに移動し、係止鉤１２２と係止片１０４との係合が解除され、上述した動作によりクラッチ機構が接続され、給紙ローラ７が時計方向に回転し始めて次の用紙の給紙動作を開始するようになっている。
【００４８】
言うまでもないが、１枚目の用紙の終端位置と２枚目の用紙の先端位置の間隔は１５ｍｍに限定されるものではなく、設計上適当な間隔に設定し得る。また、モータの駆動力の歯車装置１への伝達は、ベルト機構を用いるものでも、歯車列による駆動力の伝達機構を用いるものでもよい。さらに、本実施の形態においては、歯車列の数を歯車装置１、歯車３、歯車５の３個としたが、歯車列の数がこれに限定されるものでないことも言うまでもない。また、本実施の形態では、回動形のトリガレバーを使用したが、スライド式等その他の動きのものも同様に用いることができる。
【００４９】
【発明の効果】
以上説明したように、本発明に係るクラッチ機構によれば、トリガレバーがキャリッジの移動により回動することにより、給紙ローラと連動して回転する第１の回転部材とモータの駆動力により回転する第２の回転部材の係合を断続するので、モータを逆回転することなく第１及び第２の回転部材の係合を断続することができ、シーケンスが複雑とならず、スループットも向上できるクラッチ機構が得られる。
【００５０】
また、本発明の記録装置によれば、モータを逆回転させることなく断続できるクラッチ機構を備えているので、シーケンスが複雑でなく、スループットも高い記録装置が得られる。
【図面の簡単な説明】
【図１】本発明の一実施の形態になるクラッチ機構を示す分解斜視図である。
【図２】図1のクラッチ機構の動作開始以前の状態を、ラチェット歯、円筒部及び歯車の部分の相互の位置関係を図１の右側から透視して見た模式図である。
【図３】図２の状態を上方から見た平面図である。
【図４】図１のクラッチ機構の遊星歯車が、給紙ローラに固定された歯車から離れている状態を右側面から見た要部側面図である。
【図５】図１のクラッチ機構のトリガレバーが右方向に回動した状態を示す平面図である。
【図６】図１のクラッチ機構が接続された状態での該クラッチ機構のラチェット歯、円筒部及び歯車の部分の相互の位置関係を図１の右側から透視して見た模式図である。
【図７】図１のクラッチ機構の遊星歯車が、給紙ローラに固定された歯車に噛合した状態を右側から見た要部側面図である。
【図８】本発明に係る記録装置のキャリッジがとる、各動作の基礎となる位置を示す概略構成図である。
【符号の説明】
６  歯車（第２の回転部材）
７  給紙ローラ
９  歯車（第１の回転部材）
１０  環状体
１２  トリガレバー
６１  ラチェット歯
１０３  突起
１０４  係止片
１２２  係止鉤
【図１】
0004088747.tif 000002
【図２】
0004088747.tif 000003
【図３】
0004088747.tif 000004
【図４】
0004088747.tif 000005
【図５】
0004088747.tif 000006
【図６】
0004088747.tif 000007
【図７】
0004088747.tif 000008
【図８】
0004088747.tif 000009